(57)【要約】【課題】標本の煩雑な調整作業を行わなくても、細胞内反応の測定感度と再現性を向上させることができる細胞内反応測定装置および方法を提供する。【解決手段】複数の細胞集団が非接触状態で含まれる標本を用いて細胞内反応を測定する装置１０において、所定の蛋白質の存在に応じて標本から放射される第１の光の強度を検出し、複数の細胞集団のうち蛋白質を含む注目集団を特定する特定手段１１〜１６，１８と、所定の蛋白質により誘発された細胞内反応に応じて標本から放射される第２の光のうち、注目集団から放射される第２の光の強度を選択的に検出し、細胞内反応に関わる測定情報を生成する生成手段１１〜１６，１８とを備える。【選択図】　　　図１
2004121020.tif 000002
【特許請求の範囲】
【請求項１】
複数の細胞集団が非接触状態で含まれる標本を用いて細胞内反応を測定する細胞内反応測定装置において、
所定の蛋白質の存在に応じて前記標本から放射される第１の光の強度を検出し、前記複数の細胞集団のうち前記蛋白質の存在する細胞を含む注目集団を特定する特定手段と、
前記細胞内反応に応じて前記標本から放射される第２の光の強度を検出し、検出した前記第２の光の強度のうち、前記注目集団から放射される前記第２の光の強度を選択する選択手段とを備えた
ことを特徴とする細胞内反応測定装置。
【請求項２】
複数の細胞集団が非接触状態で含まれる標本を用いて薬物による細胞内反応を測定する細胞内反応測定装置において、
前記薬物の標的となる蛋白質の存在に応じて前記標本から放射される第１の光の強度を検出し、前記複数の細胞集団のうち前記蛋白質の存在する細胞を含む注目集団を特定する特定手段と、
前記細胞内反応に応じて前記標本から放射される第２の光の強度を検出し、検出した前記第２の光の強度のうち、前記注目集団から放射される前記第２の光の強度を選択する選択手段とを備えた
ことを特徴とする細胞内反応測定装置。
【請求項３】
請求項２に記載の細胞内反応測定装置において、
前記特定手段は、前記蛋白質と共に発現した蛍光性蛋白質から放射される第１の蛍光の強度を前記第１の光の強度として検出することにより、前記注目集団を特定し、
前記選択手段は、前記標本に導入された細胞内反応測定用の蛍光プローブから放射される第２の蛍光の強度を検出し、検出した前記第２の蛍光の強度のうち、前記注目集団から放射される前記第２の蛍光の強度を前記第２の光の強度として選択する
ことを特徴とする細胞内反応測定装置。
【請求項４】
請求項１〜請求項３の何れか１項に記載の細胞内反応測定装置において、
前記特定手段によって特定された各々の注目集団に関し、前記蛋白質の存在する細胞の割合を算出する算出手段と、
前記特定手段によって特定された注目集団のうち、前記割合が所定の基準割合よりも高い注目集団を選別する選別手段とを備え、
前記選択手段は、前記第２の光の強度を検出し、検出した前記第２の光の強度のうち、前記選別手段によって選別された注目集団から放射される前記第２の光の強度を選択する
ことを特徴とする細胞内反応測定装置。
【請求項５】
請求項４に記載の細胞内反応測定装置において、
前記算出手段は、さらに前記特定手段によって特定された各々の注目集団に関し、全細胞の数の算出も行い、
前記選別手段は、前記特定手段によって特定された注目集団のうち、前記割合が所定の基準割合よりも高く、かつ、前記全細胞の数が所定の基準数よりも少ない注目集団を選別する
ことを特徴とする細胞内反応測定装置。
【請求項６】
複数の細胞どうしが密着している標本を用いて細胞内反応を測定する細胞内反応測定装置において、
所定の蛋白質の存在に応じて前記標本から放射される第１の光の強度を検出し、前記蛋白質の存在する細胞の割合が所定の基準割合よりも高い注目領域を特定する特定手段と、
前記蛋白質により誘発された細胞内反応に応じて前記標本から放射される第２の光の強度を検出し、検出した前記第２の光の強度のうち、前記注目領域から放射される前記第２の光の強度を選択する選択手段とを備えた
ことを特徴とする細胞内反応測定装置。
【請求項７】
複数の細胞どうしが密着している標本を用いて薬物による細胞内反応を測定する細胞内反応測定装置において、
前記薬物の標的となる蛋白質の存在に応じて前記標本から放射される第１の光の強度を検出し、前記蛋白質の存在する細胞の割合が所定の基準割合よりも高い注目領域を特定する特定手段と、
前記細胞内反応に応じて前記標本から放射される第２の光の強度を検出し、検出した前記第２の光の強度のうち、前記注目領域から放射される前記第２の光の強度を選択する選択手段とを備えた
ことを特徴とする細胞内反応測定装置。
【請求項８】
請求項７に記載の細胞内反応測定装置において、
前記特定手段は、前記蛋白質と共に発現した蛍光性蛋白質から放射される第１の蛍光の強度を前記第１の光の強度として検出することにより、前記注目領域を特定し、
前記選択手段は、前記標本に導入された細胞内反応測定用の蛍光プローブから放射される第２の蛍光の強度を検出し、検出した前記第２の蛍光の強度のうち、前記注目領域から放射される前記第２の蛍光の強度を前記第２の光の強度として選択する
ことを特徴とする細胞内反応測定装置。
【請求項９】
複数の細胞が含まれる標本を用いて細胞内反応を測定する細胞内反応測定装置において、
所定の蛋白質の存在に応じて前記標本から放射される第１の光の強度を検出し、前記複数の細胞のうち前記蛋白質の存在する注目細胞を特定する特定手段と、
前記蛋白質により誘発された細胞内反応に応じて前記標本から放射される第２の光の強度を検出し、検出した前記第２の光の強度のうち、前記注目細胞から放射される前記第２の光の強度を選択する選択手段とを備えた
ことを特徴とする細胞内反応測定装置。
【請求項１０】
複数の細胞が含まれる標本を用いて薬物による細胞内反応を測定する細胞内反応測定装置において、
前記薬物の標的となる蛋白質の存在に応じて前記標本から放射される第１の光の強度を検出し、前記複数の細胞のうち前記蛋白質の存在する注目細胞を特定する特定手段と、
前記細胞内反応に応じて前記標本から放射される第２の光の強度を検出し、検出した前記第２の光の強度のうち、前記注目細胞から放射される前記第２の光の強度を選択する選択手段とを備えた
ことを特徴とする細胞内反応測定装置。
【請求項１１】
請求項１０に記載の細胞内反応測定装置において、
前記特定手段は、前記蛋白質と共に発現した蛍光性蛋白質から放射される第１の蛍光の強度を前記第１の光の強度として検出することにより、前記注目細胞を特定し、
前記選択手段は、前記標本に導入された細胞内反応測定用の蛍光プローブから放射される第２の蛍光の強度を検出し、検出した前記第２の蛍光の強度のうち、前記注目細胞から放射される前記第２の蛍光の強度を前記第２の光の強度として選択する
ことを特徴とする細胞内反応測定装置。
【請求項１２】
請求項１〜請求項１１の何れか１項に記載の細胞内反応測定装置において、
前記選択手段は、前記第２の光の強度を一定の時間間隔で検出し、検出した前記第２の光の強度のうち、前記注目集団または前記注目領域または前記注目細胞から放射される前記第２の光の強度を選択する
ことを特徴とする細胞内反応測定装置。
【請求項１３】
請求項２〜請求項５，請求項７，請求項８，請求項１０，請求項１１の何れか１項に記載の細胞内反応測定装置において、
前記標本への前記薬物の導入タイミングを検知する検知手段を備え、
前記選択手段は、前記薬物が導入される前と導入されてから一定時間後との少なくとも２回、前記第２の光の強度を検出し、検出した前記第２の光の強度のうち、前記注目集団または前記注目領域または前記注目細胞から放射される前記第２の光の強度を選択する
ことを特徴とする細胞内反応測定装置。
【請求項１４】
請求項２〜請求項５，請求項７，請求項８，請求項１０，請求項１１，請求項１３の何れか１項に記載の細胞内反応測定装置において、
前記選択手段によって選択された前記第２の光の強度に基づいて、前記細胞内反応に関わる測定情報を生成する生成手段と、
前記測定情報に基づいて、前記標的となる蛋白質に対する前記薬物の作用を解析する解析手段とを備えた
ことを特徴とする細胞内反応測定装置。
【請求項１５】
請求項１〜請求項１３の何れか１項に記載の細胞内反応測定装置において、
前記選択手段によって選択された前記第２の光の強度に基づいて、前記細胞内反応に関わる測定情報を生成する生成手段を備えた
ことを特徴とする細胞内反応測定装置。
【請求項１６】
複数の細胞集団が非接触状態で含まれる標本を用いて薬物による細胞内反応を測定する細胞内反応測定方法において、
前記薬物の標的となる蛋白質の遺伝子および蛍光性蛋白質の遺伝子を細胞に導入し、該細胞を培養した後で、細胞内反応測定用の蛍光プローブを導入することにより、前記標本を調整する調整工程と、
前記標的となる蛋白質と共に発現した前記蛍光性蛋白質から放射される第１の蛍光の強度を検出し、前記複数の細胞集団のうち前記標的となる蛋白質の存在する細胞を含む注目集団を特定する特定工程と、
前記蛍光プローブから放射される第２の蛍光の強度を検出し、検出した前記第２の蛍光の強度のうち、前記注目集団から放射される前記第２の蛍光の強度を選択する選択工程とを備えた
ことを特徴とする細胞内反応測定方法。
【請求項１７】
複数の細胞どうしが密着している標本を用いて薬物による細胞内反応を測定する細胞内反応測定方法において、
前記薬物の標的となる蛋白質の遺伝子および蛍光性蛋白質の遺伝子を細胞に導入し、該細胞を培養した後で、細胞内反応測定用の蛍光プローブを導入することにより、前記標本を調整する調整工程と、
前記標的となる蛋白質と共に発現した前記蛍光性蛋白質から放射される第１の蛍光の強度を検出し、前記標的となる蛋白質の存在する細胞の割合が所定の基準割合よりも高い注目領域を特定する特定工程と、
前記蛍光プローブから放射される第２の蛍光の強度を検出し、検出した前記第２の蛍光の強度のうち、前記注目領域から放射される前記第２の蛍光の強度を選択する選択工程とを備えた
ことを特徴とする細胞内反応測定方法。
【請求項１８】
複数の細胞が含まれる標本を用いて薬物による細胞内反応を測定する細胞内反応測定方法において、
前記薬物の標的となる蛋白質の遺伝子および蛍光性蛋白質の遺伝子を細胞に導入し、該細胞を培養した後で、細胞内反応測定用の蛍光プローブを導入することにより、前記標本を調整する調整工程と、
前記標的となる蛋白質と共に発現した前記蛍光性蛋白質から放射される第１の蛍光の強度を検出し、前記複数の細胞のうち前記標的となる蛋白質の存在する注目細胞を特定する特定工程と、
前記蛍光プローブから放射される第２の蛍光の強度を検出し、検出した前記第２の蛍光の強度のうち、前記注目細胞から放射される前記第２の蛍光の強度を選択する選択工程とを備えた
ことを特徴とする細胞内反応測定方法。
【請求項１９】
請求項１６〜請求項１８の何れか１項に記載の細胞内反応測定方法において、
前記選択工程で選択された前記第２の光の強度に基づいて、前記細胞内反応に関わる測定情報を生成する生成工程を備えた
ことを特徴とする細胞内反応測定方法。
【請求項２０】
複数の細胞集団が非接触状態で含まれる標本を用いて細胞内反応を測定する手順をコンピュータに実行させるための細胞内反応測定プログラムにおいて、
所定の蛋白質の存在に応じて前記標本から放射される第１の光の強度を検出し、前記複数の細胞集団のうち前記蛋白質の存在する細胞を含む注目集団を特定する特定手順と、
前記細胞内反応に応じて前記標本から放射される第２の光の強度を検出し、検出した前記第２の光の強度のうち、前記注目集団から放射される前記第２の光の強度を選択する選択手順とを備えた
ことを特徴とする細胞内反応測定プログラム。
【請求項２１】
請求項２０に記載の細胞内反応測定プログラムにおいて、前記特定手順で特定された各々の注目集団に関し、前記蛋白質の存在する細胞の割合を算出する算出手順と、
前記特定手順で特定された注目集団のうち、前記割合が所定の基準割合よりも高い注目集団を選別する選別手順とを備え、
前記選択手順では、前記第２の光の強度を検出し、検出した前記第２の光の強度のうち、前記選別手順で選別された注目集団から放射される前記第２の光の強度を選択する
ことを特徴とする細胞内反応測定プログラム。
【請求項２２】
請求項２１に記載の細胞内反応測定プログラムにおいて、前記算出手順では、さらに前記特定手順で特定された各々の注目集団に関し、全細胞の数の算出も行い、
前記選別手順では、前記特定手順で特定された注目集団のうち、前記割合が所定の基準割合よりも高く、かつ、前記全細胞の数が所定の基準数よりも少ない注目集団を選別する
ことを特徴とする細胞内反応測定プログラム。
【請求項２３】
複数の細胞どうしが密着している標本を用いて細胞内反応を測定する手順をコンピュータに実行させるための細胞内反応測定プログラムにおいて、
所定の蛋白質の存在に応じて前記標本から放射される第１の光の強度を検出し、前記蛋白質の存在する細胞の割合が所定の基準割合よりも高い注目領域を特定する特定手順と、
前記蛋白質により誘発された細胞内反応に応じて前記標本から放射される第２の光の強度を検出し、検出した前記第２の光の強度のうち、前記注目領域から放射される前記第２の光の強度を選択する選択手順とを備えた
ことを特徴とする細胞内反応測定プログラム。
【請求項２４】
複数の細胞が含まれる標本を用いて細胞内反応を測定する手順をコンピュータに実行させるための細胞内反応測定プログラムにおいて、
所定の蛋白質の存在に応じて前記標本から放射される第１の光の強度を検出し、前記複数の細胞のうち前記蛋白質の存在する注目細胞を特定する特定手順と、
前記蛋白質により誘発された細胞内反応に応じて前記標本から放射される第２の光の強度を検出し、検出した前記第２の光の強度のうち、前記注目細胞から放射される前記第２の光の強度を選択する選択手順とを備えた
ことを特徴とする細胞内反応測定プログラム。
【請求項２５】
請求項２０〜請求項２４の何れか１項に記載の細胞内反応測定プログラムにおいて、
前記選択手順では、前記第２の光の強度を一定の時間間隔で検出し、検出した前記第２の光の強度のうち、前記注目集団または前記注目領域または前記注目細胞から放射される前記第２の光の強度を選択する
ことを特徴とする細胞内反応測定プログラム。
【請求項２６】
請求項２０〜請求項２４の何れか１項に記載の細胞内反応測定プログラムにおいて、
前記標本への薬物の導入タイミングを検知する検知手順を備え、
前記選択手順では、前記薬物が導入される前と導入されてから一定時間後との少なくとも２回、前記第２の光の強度を検出し、検出した前記第２の光の強度のうち、前記注目集団または前記注目領域または前記注目細胞から放射される前記第２の光の強度を選択する
ことを特徴とする細胞内反応測定プログラム。
【請求項２７】
請求項２０〜請求項２６の何れか１項に記載の細胞内反応測定プログラムにおいて、
前記選択手順で選択された前記第２の光の強度に基づいて、前記細胞内反応に関わる測定情報を生成する生成手順を備えた
ことを特徴とする細胞内反応測定プログラム。
【発明の詳細な説明】
【０００１】
【発明の属する技術分野】
本発明は、細胞内反応を光学的に測定する細胞内反応測定装置、細胞内反応測定方法、および細胞内反応測定プログラムに関し、特に、医薬品の開発過程におけるスクリーニングに好適な細胞内反応測定装置などに関する。
【０００２】
【従来の技術】
従来、細胞内反応（例えば膜電位変化やイオン濃度変化）の光学的な測定は、多数の細胞を含む標本から放射される光の強度を測定視野内で一括検出することにより行われていた（例えば特許文献１を参照）。一括検出用の代表的な光検出器には、光電子増倍管やフォトダイオードがある。
【０００３】
【特許文献１】
特許３１７２０６０号公報
例えば、膜電位変化を測定する場合、標本には、膜電位感受性の蛍光色素が予め導入される。また、イオン濃度変化を測定する場合には、イオン濃度感受性の蛍光色素が予め導入される。これらの蛍光色素は、細胞内反応測定用の蛍光プローブであり、膜電位変化やイオン濃度変化に応じて異なる強度の蛍光を放射する。このため、標本から放射される蛍光の強度を検出することで、膜電位変化やイオン濃度変化が測定できる。
【０００４】
【発明が解決しようとする課題】
しかしながら、上記した従来技術では、測定視野内の全て細胞から放射される光（例えば蛍光）の強度を一括検出している、つまり、測定視野内での平均的な光強度を検出しているため、測定視野内に反応性の高い細胞や反応性の低い細胞が混在していると、細胞内反応の測定感度および再現性が低下してしまう。
【０００５】
なお、細胞内反応の測定感度および再現性を向上させるためには、反応性の高い細胞のみを含むように標本を調整することも考えられるが、その作業は非常に煩雑であり、膨大な労力と時間を必要とする。すなわち、反応性の高い細胞のみを含むような標本の調整は現実的ではない。
【０００６】
本発明の目的は、標本の煩雑な調整作業を行わなくても、細胞内反応の測定感度と再現性を向上させることができる細胞内反応測定装置、細胞内反応測定方法、および細胞内反応測定プログラムを提供することにある。
【０００７】
【課題を解決するための手段】
請求項１に記載の発明は、複数の細胞集団が非接触状態で含まれる標本を用いて細胞内反応を測定する細胞内反応測定装置において、所定の蛋白質の存在に応じて前記標本から放射される第１の光の強度を検出し、前記複数の細胞集団のうち前記蛋白質の存在する細胞を含む注目集団を特定する特定手段と、前記細胞内反応に応じて前記標本から放射される第２の光の強度を検出し、検出した前記第２の光の強度のうち、前記注目集団から放射される前記第２の光の強度を選択する選択手段とを備えたものである。
【０００８】
請求項２に記載の発明は、複数の細胞集団が非接触状態で含まれる標本を用いて薬物による細胞内反応を測定する細胞内反応測定装置において、前記薬物の標的となる蛋白質の存在に応じて前記標本から放射される第１の光の強度を検出し、前記複数の細胞集団のうち前記蛋白質の存在する細胞を含む注目集団を特定する特定手段と、前記細胞内反応に応じて前記標本から放射される第２の光の強度を検出し、検出した前記第２の光の強度のうち、前記注目集団から放射される前記第２の光の強度を選択する選択手段とを備えたものである。
【０００９】
請求項３に記載の発明は、請求項２に記載の細胞内反応測定装置において、前記特定手段は、前記蛋白質と共に発現した蛍光性蛋白質から放射される第１の蛍光の強度を前記第１の光の強度として検出することにより、前記注目集団を特定し、前記選択手段は、前記標本に導入された細胞内反応測定用の蛍光プローブから放射される第２の蛍光の強度を検出し、検出した前記第２の蛍光の強度のうち、前記注目集団から放射される前記第２の蛍光の強度を前記第２の光の強度として選択するものである。
【００１０】
請求項４に記載の発明は、請求項１〜請求項３の何れか１項に記載の細胞内反応測定装置において、前記特定手段によって特定された各々の注目集団に関し、前記蛋白質の存在する細胞の割合を算出する算出手段と、前記特定手段によって特定された注目集団のうち、前記割合が所定の基準割合よりも高い注目集団を選別する選別手段とを備え、前記選択手段は、前記第２の光の強度を検出し、検出した前記第２の光の強度のうち、前記選別手段によって選別された注目集団から放射される前記第２の光の強度を選択するものである。
【００１１】
請求項５に記載の発明は、請求項４に記載の細胞内反応測定装置において、前記算出手段は、さらに前記特定手段によって特定された各々の注目集団に関し、全細胞の数の算出も行い、前記選別手段は、前記特定手段によって特定された注目集団のうち、前記割合が所定の基準割合よりも高く、かつ、前記全細胞の数が所定の基準数よりも少ない注目集団を選別するものである。
【００１２】
請求項６に記載の発明は、複数の細胞どうしが密着している標本を用いて細胞内反応を測定する細胞内反応測定装置において、所定の蛋白質の存在に応じて前記標本から放射される第１の光の強度を検出し、前記蛋白質の存在する細胞の割合が所定の基準割合よりも高い注目領域を特定する特定手段と、前記蛋白質により誘発された細胞内反応に応じて前記標本から放射される第２の光の強度を検出し、検出した前記第２の光の強度のうち、前記注目領域から放射される前記第２の光の強度を選択する選択手段とを備えたものである。
【００１３】
請求項７に記載の発明は、複数の細胞どうしが密着している標本を用いて薬物による細胞内反応を測定する細胞内反応測定装置において、前記薬物の標的となる蛋白質の存在に応じて前記標本から放射される第１の光の強度を検出し、前記蛋白質の存在する細胞の割合が所定の基準割合よりも高い注目領域を特定する特定手段と、前記細胞内反応に応じて前記標本から放射される第２の光の強度を検出し、検出した前記第２の光の強度のうち、前記注目領域から放射される前記第２の光の強度を選択する選択手段とを備えたものである。
【００１４】
請求項８に記載の発明は、請求項７に記載の細胞内反応測定装置において、前記特定手段は、前記蛋白質と共に発現した蛍光性蛋白質から放射される第１の蛍光の強度を前記第１の光の強度として検出することにより、前記注目領域を特定し、前記選択手段は、前記標本に導入された細胞内反応測定用の蛍光プローブから放射される第２の蛍光の強度を検出し、検出した前記第２の蛍光の強度のうち、前記注目領域から放射される前記第２の蛍光の強度を前記第２の光の強度として選択するものである。
【００１５】
請求項９に記載の発明は、複数の細胞が含まれる標本を用いて細胞内反応を測定する細胞内反応測定装置において、所定の蛋白質の存在に応じて前記標本から放射される第１の光の強度を検出し、前記複数の細胞のうち前記蛋白質の存在する注目細胞を特定する特定手段と、前記蛋白質により誘発された細胞内反応に応じて前記標本から放射される第２の光の強度を検出し、検出した前記第２の光の強度のうち、前記注目細胞から放射される前記第２の光の強度を選択する選択手段とを備えたものである。
【００１６】
請求項１０に記載の発明は、複数の細胞が含まれる標本を用いて薬物による細胞内反応を測定する細胞内反応測定装置において、前記薬物の標的となる蛋白質の存在に応じて前記標本から放射される第１の光の強度を検出し、前記複数の細胞のうち前記蛋白質の存在する注目細胞を特定する特定手段と、前記細胞内反応に応じて前記標本から放射される第２の光の強度を検出し、検出した前記第２の光の強度のうち、前記注目細胞から放射される前記第２の光の強度を選択する選択手段とを備えたものである。
【００１７】
請求項１１に記載の発明は、請求項１０に記載の細胞内反応測定装置において、前記特定手段は、前記蛋白質と共に発現した蛍光性蛋白質から放射される第１の蛍光の強度を前記第１の光の強度として検出することにより、前記注目細胞を特定し、前記選択手段は、前記標本に導入された細胞内反応測定用の蛍光プローブから放射される第２の蛍光の強度を検出し、検出した前記第２の蛍光の強度のうち、前記注目細胞から放射される前記第２の蛍光の強度を前記第２の光の強度として選択するものである。
【００１８】
請求項１２に記載の発明は、請求項１〜請求項１１の何れか１項に記載の細胞内反応測定装置において、前記選択手段は、前記第２の光の強度を一定の時間間隔で検出し、検出した前記第２の光の強度のうち、前記注目集団または前記注目領域または前記注目細胞から放射される前記第２の光の強度を選択するものである。
【００１９】
請求項１３に記載の発明は、請求項２〜請求項５，請求項７，請求項８，請求項１０，請求項１１の何れか１項に記載の細胞内反応測定装置において、前記標本への前記薬物の導入タイミングを検知する検知手段を備え、前記選択手段は、前記薬物が導入される前と導入されてから一定時間後との少なくとも２回、前記第２の光の強度を検出し、検出した前記第２の光の強度のうち、前記注目集団または前記注目領域または前記注目細胞から放射される前記第２の光の強度を選択するものである。
【００２０】
請求項１４に記載の発明は、請求項２〜請求項５，請求項７，請求項８，請求項１０，請求項１１，請求項１３の何れか１項に記載の細胞内反応測定装置において、前記選択手段によって選択された前記第２の光の強度に基づいて、前記細胞内反応に関わる測定情報を生成する生成手段と、前記測定情報に基づいて、前記標的となる蛋白質に対する前記薬物の作用を解析する解析手段とを備えたものである。
【００２１】
請求項１５に記載の発明は、請求項１〜請求項１３の何れか１項に記載の細胞内反応測定装置において、前記選択手段によって選択された前記第２の光の強度に基づいて、前記細胞内反応に関わる測定情報を生成する生成手段を備えたものである。
【００２２】
請求項１６に記載の発明は、複数の細胞集団が非接触状態で含まれる標本を用いて薬物による細胞内反応を測定する細胞内反応測定方法において、前記薬物の標的となる蛋白質の遺伝子および蛍光性蛋白質の遺伝子を細胞に導入し、該細胞を培養した後で、細胞内反応測定用の蛍光プローブを導入することにより、前記標本を調整する調整工程と、前記標的となる蛋白質と共に発現した前記蛍光性蛋白質から放射される第１の蛍光の強度を検出し、前記複数の細胞集団のうち前記標的となる蛋白質の存在する注目集団を特定する特定工程と、前記蛍光プローブから放射される第２の蛍光の強度を検出し、検出した前記第２の蛍光の強度のうち、前記注目集団から放射される前記第２の蛍光の強度を選択する選択工程とを備えたものである。
【００２３】
請求項１７に記載の発明は、複数の細胞どうしが密着している標本を用いて薬物による細胞内反応を測定する細胞内反応測定方法において、前記薬物の標的となる蛋白質の遺伝子および蛍光性蛋白質の遺伝子を細胞に導入し、該細胞を培養した後で、細胞内反応測定用の蛍光プローブを導入することにより、前記標本を調整する調整工程と、前記標的となる蛋白質と共に発現した前記蛍光性蛋白質から放射される第１の蛍光の強度を検出し、前記標的となる蛋白質の存在する細胞の割合が所定の基準割合よりも高い注目領域を特定する特定工程と、前記蛍光プローブから放射される第２の蛍光の強度を検出し、検出した前記第２の蛍光の強度のうち、前記注目領域から放射される前記第２の蛍光の強度を選択する選択工程とを備えたものである。
【００２４】
請求項１８に記載の発明は、複数の細胞が含まれる標本を用いて薬物による細胞内反応を測定する細胞内反応測定方法において、前記薬物の標的となる蛋白質の遺伝子および蛍光性蛋白質の遺伝子を細胞に導入し、該細胞を培養した後で、細胞内反応測定用の蛍光プローブを導入することにより、前記標本を調整する調整工程と、前記標的となる蛋白質と共に発現した前記蛍光性蛋白質から放射される第１の蛍光の強度を検出し、前記複数の細胞のうち前記標的となる蛋白質の存在する注目細胞を特定する特定工程と、前記蛍光プローブから放射される第２の蛍光の強度を検出し、検出した前記第２の蛍光の強度のうち、前記注目細胞から放射される前記第２の蛍光の強度を選択する選択工程とを備えたものである。
【００２５】
請求項１９に記載の発明は、請求項１６〜請求項１８の何れか１項に記載の細胞内反応測定方法において、前記選択工程で選択された前記第２の光の強度に基づいて、前記細胞内反応に関わる測定情報を生成する生成工程を備えたものである。
請求項２０に記載の発明は、複数の細胞集団が非接触状態で含まれる標本を用いて細胞内反応を測定する手順をコンピュータに実行させるための細胞内反応測定プログラムにおいて、所定の蛋白質の存在に応じて前記標本から放射される第１の光の強度を検出し、前記複数の細胞集団のうち前記蛋白質の存在する細胞を含む注目集団を特定する特定手順と、前記細胞内反応に応じて前記標本から放射される第２の光の強度を検出し、検出した前記第２の光の強度のうち、前記注目集団から放射される前記第２の光の強度を選択する選択手順とを備えたものである。
【００２６】
請求項２１に記載の発明は、請求項２０に記載の細胞内反応測定プログラムにおいて、前記特定手順で特定された各々の注目集団に関し、前記蛋白質の存在する細胞の割合を算出する算出手順と、前記特定手順で特定された注目集団のうち、前記割合が所定の基準割合よりも高い注目集団を選別する選別手順とを備え、前記選択手順では、前記第２の光の強度を検出し、検出した前記第２の光の強度のうち、前記選別手順で選別された注目集団から放射される前記第２の光の強度を選択するものである。
【００２７】
請求項２２に記載の発明は、請求項２１に記載の細胞内反応測定プログラムにおいて、前記算出手順では、さらに前記特定手順で特定された各々の注目集団に関し、全細胞の数の算出も行い、前記選別手順では、前記特定手順で特定された注目集団のうち、前記割合が所定の基準割合よりも高く、かつ、前記全細胞の数が所定の基準数よりも少ない注目集団を選別するものである。
【００２８】
請求項２３に記載の発明は、複数の細胞どうしが密着している標本を用いて細胞内反応を測定する手順をコンピュータに実行させるための細胞内反応測定プログラムにおいて、所定の蛋白質の存在に応じて前記標本から放射される第１の光の強度を検出し、前記蛋白質の存在する細胞の割合が所定の基準割合よりも高い注目領域を特定する特定手順と、前記蛋白質により誘発された細胞内反応に応じて前記標本から放射される第２の光の強度を検出し、検出した前記第２の光の強度のうち、前記注目領域から放射される前記第２の光の強度を選択する選択手順とを備えたものである。
【００２９】
請求項２４に記載の発明は、複数の細胞が含まれる標本を用いて細胞内反応を測定する手順をコンピュータに実行させるための細胞内反応測定プログラムにおいて、所定の蛋白質の存在に応じて前記標本から放射される第１の光の強度を検出し、前記複数の細胞のうち前記蛋白質の存在する注目細胞を特定する特定手順と、前記蛋白質により誘発された細胞内反応に応じて前記標本から放射される第２の光の強度を検出し、検出した前記第２の光の強度のうち、前記注目細胞から放射される前記第２の光の強度を選択する選択手順とを備えたものである。
【００３０】
請求項２５に記載の発明は、請求項２０〜請求項２４の何れか１項に記載の細胞内反応測定プログラムにおいて、前記選択手順では、前記第２の光の強度を一定の時間間隔で検出し、検出した前記第２の光の強度のうち、前記注目集団または前記注目領域または前記注目細胞から放射される前記第２の光の強度を選択するものである。
【００３１】
請求項２６に記載の発明は、請求項２０〜請求項２４の何れか１項に記載の細胞内反応測定プログラムにおいて、前記標本への薬物の導入タイミングを検知する検知手順を備え、前記選択手順では、前記薬物が導入される前と導入されてから一定時間後との少なくとも２回、前記第２の光の強度を検出し、検出した前記第２の光の強度のうち、前記注目集団または前記注目領域または前記注目細胞から放射される前記第２の光の強度を選択するものである。
【００３２】
請求項２７に記載の発明は、請求項２０〜請求項２６の何れか１項に記載の細胞内反応測定プログラムにおいて、前記選択手順で選択された前記第２の光の強度に基づいて、前記細胞内反応に関わる測定情報を生成する生成手順を備えたものである。
【００３３】
【発明の実施の形態】
以下、図面を用いて本発明の実施形態を詳細に説明する。
【００３４】
（第１実施形態）
本発明の第１実施形態は、請求項１〜請求項３，請求項１２，請求項１５，請求項１６，請求項１９に対応する。ここでは、薬物による膜電位変化を高感度で再現性良く測定可能な細胞内反応測定装置の例を説明する。
ちなみに、膜電位変化の「膜」とは、細胞内に存在する膜（例えば細胞膜やミトコンドリア膜や核膜など）のことである。「膜電位」とは、膜外に対する膜内の電位のことである。ここで、第１実施形態と後述の第２，第３，第５実施形態での膜電位は、細胞膜電位である。
【００３５】
第１実施形態の細胞内反応測定装置１０は、図１に示すように、倒立型の蛍光顕微鏡（１１〜１６）と、薬物導入用のピペット１７と、画像処理装置１８と、表示装置１９と、制御装置２０とで構成されている。制御装置２０内の記憶部には、薬物による膜電位変化を測定する手順を記載した細胞内反応測定プログラムが格納されている。
【００３６】
蛍光顕微鏡（１１〜１６）には、光源１１と、励起フィルタ１２と、ダイクロイックミラー１３と、対物レンズ１４と、蛍光フィルタ１５と、冷却ＣＣＤカメラ１６とが設けられている。さらに、対物レンズ１４の上方には、シャーレ２１を支持するステージ（不図示）が設けられている。シャーレ２１は底面が透明な培養容器であり、その中に、複数の培養細胞２２を含む標本が入っている。
【００３７】
第１実施形態の細胞内反応測定装置１０の各構成要素（１１〜２０）について説明する前に、シャーレ２１の中に入っている標本（複数の培養細胞２２）の説明を行う。標本の調整は、概略、次の手順＜１＞〜＜３＞にしたがって行われる。
＜１＞　　まず初めに、薬物の標的となる蛋白質（以下「標的蛋白質」という）の遺伝子および蛍光性蛋白質の遺伝子を含む発現ベクターを作成し、この発現ベクターを用いて培養細胞に遺伝子を導入する。標的蛋白質とは、イオンチャネルや受容体（レセプタ）のことであり、膜電位変化を誘発する蛋白質である。蛍光性蛋白質とは、蛍光性を有する蛋白質のことである。
【００３８】
なお、後述の具体的な測定例では、標的蛋白質として、ラット由来の小コンダクタンスＣａ２＋依存性　Ｋ＋チャネル（以下「ｒＳＫ２チャネル」という）を用い、これに作用する既知の薬物として、３００μＭ　ｃｈｌｏｒｚｏｘａｚｏｎｅ（ｒＳＫ２チャネル開口薬）と、１００ｎＭ　ａｐａｍｉｎ（ｒＳＫ２チャネル阻害薬）とを用い、蛍光性蛋白質として、Ｇｒｅｅｎ　Ｆｌｕｏｒｅｓｃｅｎｃｅ　Ｐｒｏｔｅｉｎ（以下「ＧＦＰ」という）を用いる。
【００３９】
ｒＳＫ２チャネルなどのイオンチャネルは、生体のあらゆる細胞の膜電位を形成する上で不可欠な因子である。特に、神経・筋・分泌線などの細胞において、生体電気信号の発生・伝搬・伝達および収縮、さらにはホルモンなどの生理活性物質分泌などの細胞生理機能を発揮する上できわめて重要な因子として働く。
イオンチャネル開口薬や阻害薬などのイオンチャネル作用薬は、不整脈・高血圧症・糖尿病などの多くの重大な疾患の治療において、組織機能障害を回復・制御する目的で既に用いられている。さらに近年、中枢神経の虚血性障害からの保護や緊張性膀胱・気道過敏症・消化管運動不全・アトピー性皮膚炎などの多様な疾患の治療を目的とした新薬の開発が、イオンチャネルを標的として試みられている。
【００４０】
＜２＞　　次に、上記の発現ベクターが導入され、標的蛋白質の遺伝子および蛍光性蛋白質の遺伝子が導入された培養細胞をシャーレ２１の中で培養する。培養細胞は、通常、集団を形成しながら増殖していく。このため、培養条件や培養時間を制御することにより、細胞集団（コロニー）どうしが密着しないように培養することができる。
【００４１】
その結果、シャーレ２１の中の標本には、図２に示すように、複数の細胞集団２３が非接触状態で含まれることになる。各細胞集団２３における培養細胞２２の数は、数個〜数十個である。各細胞集団２３の培養細胞２２どうしは密着している。なお、細胞集団２３どうしの間は培養液で満たされている。
このように、複数の細胞集団２３が非接触状態で含まれるように標本を培養するのは、第１実施形態の細胞内反応測定装置１０において、薬物による膜電位変化の測定を細胞集団２３ごとに行うためである。
【００４２】
標本（図２参照）において、幾つかの培養細胞２２には、膜の表面に標的蛋白質（例えばｒＳＫ２チャネル）が発現する。さらに、標的蛋白質が発現した培養細胞２２のほぼ全てには、蛍光性蛋白質（例えばＧＦＰ）が発現する。したがって、標的蛋白質と蛍光性蛋白質とは、常に、１つの培養細胞２２の中で共に発現する。
このため、蛍光性蛋白質から放射される蛍光の有無に基づいて、標的蛋白質の存在を確認することができる。つまり、蛍光性蛋白質からの蛍光が現れた培養細胞２２には、標的蛋白質が発現していると考えることができる（詳細は後述する）。
【００４３】
標的蛋白質が発現した培養細胞２２（以下「発現細胞」という）では、後述の測定時に薬物（例えばｒＳＫ２チャネル開口薬などの作用薬）が導入されると、薬物による膜電位変化を引き起こす。逆に、標的蛋白質が発現していない培養細胞２２（以下「非発現細胞」という）では、基本的に、薬物が導入されても膜電位変化が起こらない。
【００４４】
しかし、１つの細胞集団２３の中に発現細胞が１０％程度（またはそれ以上）の割合で存在していれば、薬物による膜電位変化は、発現細胞だけでなく、発現細胞を含む細胞集団２３で全体的に起こることが分かった。細胞集団２３の中では、培養細胞２２どうしの接触により、発現細胞での膜電位変化が近隣の非発現細胞に伝播するからと考えられる。
【００４５】
第１実施形態の細胞内反応測定装置１０では、この性質を利用して、薬物による膜電位変化を細胞集団２３ごとに測定する。したがって、標本における発現細胞の割合（発現効率）が低く、変動が大きくても、薬物による膜電位変化を高感度で再現性良く測定することができる（詳細は後述する）。このため、標的蛋白質が定常的に発現する細胞標本の作成など、煩雑で日時を要する調整作業が不要となる。
【００４６】
＜３＞　　調整作業の最後に、シャーレ２１の中の標本（複数の細胞集団２３）に対して、全体的に細胞内反応測定用の蛍光プローブを導入する。本実施形態では、この蛍光プローブは、膜電位感受性の蛍光色素である。この蛍光色素には、膜電位の絶対値を測定するためものや、膜電位の相対変化を測定するためのものがある。
【００４７】
なお、後述の具体的な測定例では、膜電位感受性の蛍光色素として、Ｏｘｏｎｏｌ系のｂｉｓ−（１，２−ｄｉｂｕｔｙｌｂａｒｂｉｔｕｒｉｃ　ａｃｉｄ）−ｔｒｉｍｅｔｈｉｎｅ　ｏｘｏｎｏｌ（以下「ＤｉＢＡＣ４（３）」という）を用いる。このＤｉＢＡＣ４（３）から放射される蛍光は、上記のＧＦＰから放射される蛍光と、波長域が異なっている。したがって、これら２種類の蛍光は、明確に区別して検出可能である。
【００４８】
このように、標本の全体に膜電位感受性の蛍光色素（例えばＤｉＢＡＣ４（３））を導入するため、標本の中の全ての培養細胞２２では、それが標的となる蛋白質を発現している細胞であるか発現していない細胞であるかに関係なく、導入された蛍光プローブから蛍光を放射する。このため、膜電位感受性の蛍光プローブから放射される蛍光の有無に基づいて、全ての培養細胞２２（つまり複数の細胞集団２３）の存在を確認することができる。
【００４９】
膜電位感受性の蛍光色素（例えばＤｉＢＡＣ４（３））は、後述の測定時に薬物が導入されると、薬物による膜電位変化に応じて異なる強度の蛍光を放射する。既に説明したように、膜電位変化は、発現細胞を含む細胞集団２３で全体的に起こるため、膜電位感受性の蛍光色素から放射される蛍光の強度変化も、発現細胞を含む細胞集団２３で全体的に起こる。
【００５０】
これに対し、発現細胞を含まない細胞集団２３では、薬物が導入されても膜電位変化が起こらないため、膜電位感受性の蛍光色素から放射される蛍光の強度も基本的には変化しない。ただし、アーチファクト（雑音成分）として、多少の強度変化が現れることもある。
上記のように、手順＜１＞〜＜３＞を経て調整された標本には、複数の細胞集団２３が非接触状態で含まれ（図２参照）、かつ、標的蛋白質（例えばｒＳＫ２チャネル）と蛍光性蛋白質（例えばＧＦＰ）を同時に持つ発現細胞が通常の発現効率（例えば２０％〜３０％程度）で含まれ、かつ、膜電位感受性の蛍光プローブ（例えばＤｉＢＡＣ４（３））が全体的に導入される。
【００５１】
次に、細胞内反応測定装置１０について説明する。第１実施形態の細胞内反応測定装置１０では、標本内の蛍光性蛋白質（例えばＧＦＰ）から放射される蛍光と、膜電位感受性の蛍光色素（例えばＤｉＢＡＣ４（３））から放射される蛍光とを区別して検出するために、蛍光顕微鏡（１１〜１６）の励起フィルタ１２，ダイクロイックミラー１３，蛍光フィルタ１５（総じて「フィルタセット」という）が切り替え可能となっている。
【００５２】
例えばＧＦＰから放射される蛍光の検出に最適なフィルタセットは、４７０ｎｍ〜４９０ｎｍの波長域を透過する励起フィルタ１２と、５０５ｎｍよりも短波長域を反射して長波長域を透過するダイクロイックミラー１３と、５２０ｎｍ〜５６０ｎｍの波長域を透過する蛍光フィルタ１５との組み合わせである。
【００５３】
ＤｉＢＡＣ４（３）から放射される蛍光の検出に最適なフィルタセットは、５４０ｎｍ〜５８０ｎｍの波長域を透過する励起フィルタ１２と、５９５ｎｍよりも短波長域を反射して長波長域を透過するダイクロイックミラー１３と、６００ｎｍ〜６６０ｎｍの波長域を透過する蛍光フィルタ１５との組み合わせである。
第１実施形態の細胞内反応測定装置１０において、蛍光性蛋白質（例えばＧＦＰ）用のフィルタセットと、膜電位感受性の蛍光色素（例えばＤｉＢＡＣ４（３））用のフィルタセットとの切り替え動作は、制御装置２０からの制御信号に応じて自動的に行われる。
【００５４】
細胞内反応測定装置１０では、ＧＦＰ用のフィルタセットが蛍光顕微鏡（１１〜１６）に挿入されているとき、このフィルタセットと対物レンズ１４を介して、シャーレ２１の中の標本（複数の細胞集団２３）が落射照明され、発現細胞内のＧＦＰが励起される。励起光の中心波長は４８０ｎｍである。なお、対物レンズ１４は、例えば４０倍の油浸レンズである。
【００５５】
また、発現細胞内のＧＦＰから放射された蛍光（中心波長は約５１０ｎｍ，緑色）は、対物レンズ１４とフィルタセット（ＧＦＰ用）を介して、冷却ＣＣＤカメラ１６に入射する。冷却ＣＣＤカメラ１６では、ＧＦＰからの蛍光に基づいて標本像（発現細胞の像）を撮影し、画像処理装置１８に蛍光画像を出力する。
一方、ＤｉＢＡＣ４（３）用のフィルタセットが蛍光顕微鏡（１１〜１６）に挿入されているときには、このフィルタセットと対物レンズ１４を介して、シャーレ２１の中の標本が落射照明され、全ての培養細胞２２内のＤｉＢＡＣ４（３）が励起される。励起光の中心波長は５６０ｎｍである。
【００５６】
全ての培養細胞２２内のＤｉＢＡＣ４（３）から放射された蛍光（中心波長は６３０ｎｍ，赤色）は、対物レンズ１４とフィルタセット（ＤｉＢＡＣ４（３）用）を介して、冷却ＣＣＤカメラ１６に入射する。冷却ＣＣＤカメラ１６では、ＤｉＢＡＣ４（３）からの蛍光に基づいて標本像（細胞集団２３の像）を撮影し、画像処理装置１８に蛍光画像を出力する。
【００５７】
このように、細胞内反応測定装置１０では、制御装置２０からの制御信号に応じてフィルタセットの組み合わせを切り替えるだけで、蛍光性蛋白質（例えばＧＦＰ）による発現細胞の蛍光画像と、膜電位感受性蛍光色素（例えばＤｉＢＡＣ４（３））による細胞集団２３の蛍光画像とを順に取り込むことができる。
細胞内反応測定装置１０において、蛍光性蛋白質（例えばＧＦＰ）による発現細胞の蛍光画像の取り込みは１回だけ行われ、膜電位感受性蛍光色素（例えばＤｉＢＡＣ４（３））による細胞集団２３の蛍光画像の取り込みは一定の時間間隔で（例えば１０ｓｅｃおきに）繰り返し行われる。このような２種類の画像取り込み動作は、制御装置２０からの制御信号に応じて自動的に切り替えられる。
【００５８】
各々の蛍光画像は、画像処理装置１８内の記憶装置（例えばハードディスク）に記録され、以降の画像処理時（後述の膜電位変化に関わる測定情報を生成する際）、必要に応じて読み出される。また、各々の蛍光画像は、適宜、表示装置１９に表示される。蛍光画像の大きさ（測定視野）は、標本上で、例えば２１０μｍ×１７０μｍである。
【００５９】
さらに、細胞内反応測定装置１０では、薬物による膜電位変化を測定するために、膜電位感受性蛍光色素（例えばＤｉＢＡＣ４（３））による細胞集団２３の蛍光画像を繰り返し取り込みながら、途中で、ピペット１７からシャーレ２１内の標本に薬物（ｒＳＫ２チャネル開口薬や阻害薬）を導入する。このような薬物の導入タイミングは、制御装置２０からの制御信号に応じて自動的に設定される。
【００６０】
第１実施形態の細胞内反応測定装置１０において、蛍光性蛋白質（例えばＧＦＰ）用のフィルタセットを含む蛍光顕微鏡（１１〜１６）と画像処理装置１８とは、請求項の「特定手段」に対応する。また、膜電位感受性の蛍光色素（例えばＤｉＢＡＣ４（３））用のフィルタセットを含む蛍光顕微鏡（１１〜１６）と画像処理装置１８とは、請求項の「選択手段」，「生成手段」に対応する。
【００６１】
次に、上記のように構成された細胞内反応測定装置１０における膜電位変化の測定手順について、図３，図４を用いて説明する。制御装置２０は、内部に格納されている細胞内反応測定プログラムを参照しながら、薬物による膜電位変化の測定を行う。
ここでは、図３（ａ）に示すように、測定視野１０ａの中に２個の細胞集団２３（１），（２）が含まれているとして説明を行う。ただし、測定視野１０ａの中に含まれる細胞集団２３の数が１個であっても３個以上であっても、同じように測定できることは言うまでもない。
【００６２】
２個の細胞集団２３（１），（２）のうち、一方の細胞集団２３（１）には、標的蛋白質（例えばｒＳＫ２チャネル）と蛍光性蛋白質（例えばＧＦＰ）を同時に持つ発現細胞２２ａが１つ含まれ、他方の細胞集団２３（２）には、発現細胞２２ａが全く含まれないとする。図３（ａ）では、発現細胞２２ａに点ハッチングを付した。非発現細胞２２ｂにはハッチングが付されていない。
【００６３】
制御装置２０は、まず初めに、蛍光性蛋白質（例えばＧＦＰ）用のフィルタセットを挿入する（図４のステップＳ１）。このとき、図３（ａ）の測定視野１０ａ内では、細胞集団２３（１）の発現細胞２２ａ（点ハッチング部分）の蛍光性蛋白質のみから蛍光が放射される。
この状態で、制御装置２０は、画像処理装置１８を介して冷却ＣＣＤカメラ１６を制御し、細胞集団２３（１）の発現細胞２２ａの蛍光性蛋白質から放射される蛍光に基づいて、１枚の蛍光画像Ａを取り込み（ステップＳ２）、画像処理装置１８の記憶装置に記録させる。この蛍光画像Ａは、測定視野１０ａ内での発現細胞２２ａを含む細胞集団２３（１）の特定に用いられる（後述する）。
【００６４】
次に、制御装置２０は、膜電位感受性の蛍光色素（例えばＤｉＢＡＣ４（３））用のフィルタセットに切り替える（ステップＳ３）。このとき、測定視野１０ａでは、図３（ｂ）に示すように、２個の細胞集団２３（１），（２）を構成する全ての培養細胞（発現細胞２２ａおよび非発現細胞２２ｂ）に導入された膜電位感受性蛍光色素から蛍光が放射される。
【００６５】
この状態で、制御装置２０は、画像処理装置１８を介して冷却ＣＣＤカメラ１６を制御し、発現細胞２２ａ，非発現細胞２２ｂの両方の膜電位感受性蛍光色素から放射される蛍光に基づいて、一定時間（例えば１０ｓｅｃ）おきに蛍光画像Ｂを取り込み（ステップＳ４）、画像処理装置１８の記憶装置に記録させる。この蛍光画像Ｂは、測定視野１０ａ内での細胞集団２３（１），（２）の特定や、薬物による膜電位変化の測定情報を生成するために用いられる（後述する）。
【００６６】
さらに、制御装置２０は、ステップＳ４で蛍光画像Ｂを繰り返し取り込みながら、途中の予め決められたタイミングにおいて、ピペット１７から標本に２種類の薬物を順に導入する。例えば、標的蛋白質の開口薬（例えば　ｃｈｌｏｒｚｏｘａｚｏｎｅ）を導入した後、標的蛋白質の阻害薬（例えば　ａｐａｍｉｎ）を導入することにより、標本の培養液内での薬物の組成を変化させる。
【００６７】
したがって、発現細胞２２ａを含む細胞集団２３（１）では、膜電位感受性の蛍光色素（例えばＤｉＢＡＣ４（３））から放射される蛍光の強度が、薬物の導入に応じて全体的に変化する。具体的には、標的蛋白質の開口薬の導入によって蛍光の強度が大きく減少し、標的蛋白質の阻害薬の導入によって強度が回復する。なお、発現細胞２２ａを含まない細胞集団２３（２）では、顕著な強度変化は起こらない。
【００６８】
制御装置２０は、上記ステップＳ１〜Ｓ４の結果、１枚の蛍光画像Ａと多数の蛍光画像Ｂを取り込み終えると、画像処理装置１８を制御して、次のステップＳ５〜Ｓ９の処理を実行させ、薬物による膜電位変化の測定情報を生成させる。なお、蛍光画像Ａは、発現細胞２２ａの画像である。蛍光画像Ｂは、細胞集団２３（１），（２）の画像である。
【００６９】
画像処理装置１８は、まずステップＳ５で、１枚の蛍光画像Ａの輝度情報を検出することにより、測定視野１０ａ内の発現細胞２２ａに対応する高輝度領域（以下「発現細胞領域ａ」という）を全て抽出する。発現細胞領域ａの抽出は、蛍光画像Ａの２値化によって行われる。蛍光画像Ａの輝度情報は、蛍光性蛋白質（例えばＧＦＰ）から放射される蛍光の強度を表している。
【００７０】
さらに、ステップＳ５では、全ての発現細胞領域ａのうち、連続して輝度の高い部分（つまり閉じた部分）を“１つの発現細胞に対応する領域”と判断する。図３（ａ）のように１個の発現細胞２２ａのみが存在する場合、発現細胞領域ａは１つの部分からなる。仮に、２個の発現細胞２２ａが存在すれば、発現細胞領域ａは２つに分かれていることになる。
【００７１】
次のステップＳ６では、多数の蛍光画像Ｂのうち任意の１枚（例えば薬物導入前のもの）を選択し、その輝度情報を検出することにより、測定視野１０ａ内の細胞集団２３（１），（２）に対応する高輝度領域（以下「細胞集団領域ｂ」という）を全て抽出する。細胞集団領域ｂの抽出も、蛍光画像Ｂの２値化によって行われる。蛍光画像Ｂの輝度情報は、膜電位感受性蛍光色素（例えばＤｉＢＡＣ４（３））から放射される蛍光の強度を表している。
【００７２】
ステップＳ６では、全ての細胞集団領域ｂのうち、連続して輝度の高い部分（つまり閉じた部分）を“１つの細胞集団に対応する領域”と判断する。図３（ｂ）のように２個の細胞集団２３（１），（２）が存在する場合、細胞集団領域ｂは、２つの部分に分かれていることになる。
以下の説明では、ステップ６の処理の対象となった蛍光画像Ｂ、および、他の蛍光画像Ｂの各々において、細胞集団領域ｂのうちの細胞集団２３（１）に対応する部分を「細胞集団領域ｂ（１）」、細胞集団２３（２）に対応する部分を「細胞集団領域ｂ（２）」という。
【００７３】
次のステップＳ７では、ステップＳ５，Ｓ６での抽出結果を用い、発現細胞領域ａを含む蛍光画像Ａと、細胞集団領域ｂ（１），（２）を含む蛍光画像Ｂとを重ね合わせて、細胞集団領域ｂ（１），（２）のうち発現細胞領域ａを１つ以上含むものを選択する。例えば図３（ａ），（ｂ）の場合、細胞集団２３（１）に対応する細胞集団領域ｂ（１）のみが選択される。
【００７４】
そして、次のステップＳ８，Ｓ９において、画像処理装置１８は、選択した細胞集団領域ｂ（１）に注目して、薬物による膜電位変化の測定情報を生成する。なお、上記のステップＳ５〜Ｓ７の処理は、測定視野１０ａの中に含まれる細胞集団２３（１），（２）のうち、発現細胞２２ａを１つ以上含む注目集団（つまり細胞集団２３（１））を特定する処理に対応している。“発現細胞２２ａを含む”とは、“標的蛋白質（例えばｒＳＫ２チャネル）を含む”という意味である。
【００７５】
画像処理装置１８は、次のステップＳ８において、ステップＳ４で一定時間おきに取り込んだ各々の蛍光画像Ｂの中から、ステップＳ７で選択した細胞集団領域ｂ（１）の輝度情報を選択的に検出し、蛍光画像Ｂごとに平均輝度を算出する。なお、細胞集団領域ｂ（１）の輝度情報は、発現細胞２２ａを含む注目集団（つまり細胞集団２３（１））から放射される蛍光の強度を表している。平均輝度は、注目集団から放射される蛍光の平均強度を表している（以下の説明において単に「蛍光強度」という）。
【００７６】
そして最後のステップＳ９において、各々の蛍光画像Ｂごとに算出した平均輝度（つまり発現細胞２２ａを含む注目集団から放射される蛍光強度）の時間変化を解析することにより、注目集団の膜電位変化に関わる測定情報を生成する。膜電位変化に関わる測定情報とは、例えば、標的蛋白質の開口薬（例えば　ｃｈｌｏｒｚｏｘａｚｏｎｅ）を導入してから阻害薬（例えば　ａｐａｍｉｎ）を導入するまでの間に、蛍光強度が減少した割合（減少率）である。
【００７７】
このように、第１実施形態の細胞内反応測定装置１０では、測定視野１０ａの中の細胞集団２３（１），（２）のうち、発現細胞２２ａを含む注目集団（つまり細胞集団２３（１））から放射される蛍光の強度を選択的に検出し、薬物による膜電位変化の測定情報を生成する（例えば蛍光強度の減少率を求める）ため、高感度で再現性良く膜電位変化を測定できる。
【００７８】
最後に、具体的な標本の調整例と、これを用いた測定例について説明する。
標本の調整は、上述の手順＜１＞〜＜３＞にしたがって行われる。
手順＜１＞では、まず初めに、哺乳動物細胞発現ベクターである　Ｐｔｒａｃｅｒ−ＣＭＶ２（Ｉｎｖｉｔｒｏｇｅｎ，ＵＳＡ）に対し、全長をクローニングしたｒＳＫ２チャネルの遺伝子（ｃＤＮＡ）を挿入して、発現ベクターを作成する。Ｐｔｒａｃｅｒ−ＣＭＶ２には、元々、ＧＦＰの遺伝子が組み込まれている。
【００７９】
次に、ヒト胎児腎臓由来の培養細胞（以下「ＨＥＫ２９３細胞」という）（ヒューマンサイエンス研究資源バンク，日本）を１０５個／ｍｌの濃度で含む溶液に対して、リン酸カルシウム共沈法により、上記の発現ベクターを導入する。
手順＜２＞では、発現ベクターの導入により、ｒＳＫ２チャネルの遺伝子およびＧＦＰの遺伝子が導入されたＨＥＫ２９３細胞を、シャーレ２１の中で培養する。このときの培地は、１０％ウシ胎児血清（ＦＣＳ；ＪＲＳ　Ｂｉｏｓｃｉｅｎｃｅｓ，ＵＳＡ）を添加した　Ｍｉｎｉｍｕｍ　Ｅｓｓｅｎｔｉａｌ　Ｍｅｄｉｕｍ　培地（Ｇｉｂｃｏ　ＢＲＬ，ＵＳＡ）である。培養時間は３６〜４８時間、培養温度は３７度である。
【００８０】
発現ベクターを導入後、３６〜４８時間が経過したＨＥＫ２９３細胞を測定に使用する。このとき、シャーレ２１の中には、複数のＨＥＫ２９３細胞からなる細胞集団２３（図２参照）が非接触状態で含まれている。さらに、幾つかのＨＥＫ２９３細胞には、ｒＳＫ２チャネルとＧＦＰとが同時に発現している。この発現効率は、例えば２０％〜３０％程度である。
【００８１】
手順＜３＞では、シャーレ２１の中の標本に対して、全体的に、膜電位感受性蛍光色素であるＤｉＢＡＣ４（３）（Ｍｏｌｅｃｕｌａｒ　Ｐｒｏｂｅｓ，ＵＳＡ）を導入する。つまり、ＤｉＢＡＣ４（３）を５０ｎＭの濃度で含む生理塩類溶液に、約３０分間、ＨＥＫ２９３細胞を浸して負荷させる。このような負荷は、膜電位変化の測定中にも継続させる。
【００８２】
調整後の標本を用いた測定は、図４のフローチャート（ステップＳ１〜Ｓ９）の手順にしたがって行われる。測定温度は、室温（２４±１℃）である。
以下の測定例を説明するに当たって、適宜、標本の位相差顕微鏡写真（図５）を参照する。この写真と後述の図６から分かるように、測定視野の中には２個の細胞集団ＧＦＰ（＋），ＧＦＰ（−）が含まれている。また、一方の細胞集団ＧＦＰ（＋）は２０個〜３０個のＨＥＫ２９３細胞を含み、他方の細胞集団ＧＦＰ（−）は４個のＨＥＫ２９３細胞を含む。
【００８３】
細胞内反応測定装置１０の制御装置２０は、図４のステップＳ１，Ｓ２を実行することにより、測定視野の中に存在するＧＦＰから放射される蛍光に基づいて、１枚の蛍光画像Ａ（図６）を取り込む。蛍光画像Ａは、発現細胞（ｒＳＫ２チャネルとＧＦＰとを同時に発現したＨＥＫ２９３細胞）の画像である。
次に、ステップＳ３，Ｓ４を実行することにより、測定視野の中に存在するＤｉＢＡＣ４（３）から放射される蛍光に基づいて、１０ｓｅｃおきに蛍光画像Ｂ（図７）を取り込む。蛍光画像Ｂは、細胞集団ＧＦＰ（＋），ＧＦＰ（−）の画像である（図５も参照）。蛍光画像Ｂの取り込みは、およそ１６分間、継続的に行われる。
【００８４】
さらに、ステップＳ４で蛍光画像Ｂを繰り返し取り込みながら、途中の予め決められたタイミングｔ１において、３００μＭ　ｃｈｌｏｒｚｏｘａｚｏｎｅ（ｒＳＫ２チャネル開口薬）を導入し、その後のタイミングｔ２において、１００ｎＭ　ａｐａｍｉｎ（ｒＳＫ２チャネル阻害薬）を導入する。
このようにして、上記ステップＳ１〜Ｓ４の結果、制御装置２０による１枚の蛍光画像Ａ（図６）および多数の蛍光画像Ｂ（図７）の取り込みが終了すると、以降は、画像処理装置１８がステップＳ５〜Ｓ９の処理を実行し、薬物による膜電位変化の測定情報を生成する。
【００８５】
すなわち、蛍光画像Ａ（図６）の輝度情報に基づいて、蛍光画像Ａの中に現れた全ての高輝度領域（つまり発現細胞領域ａ）を、発現細胞ごとに抽出する（ステップＳ５）。図６の場合、蛍光画像Ａの中には、３つの発現細胞領域ａが存在している。
さらに、薬物導入前の蛍光画像Ｂ（図７）の輝度情報に基づいて、蛍光画像Ｂの中に現れた全ての高輝度領域（つまり細胞集団領域ｂ）を、細胞集団ごとに抽出する（ステップＳ６）。図７の場合、蛍光画像Ｂの中には、２つの細胞集団領域ｂが存在している。ここで、蛍光画像Ｂと図５の写真を比較すると分かるように、２つの細胞集団領域ｂは、測定視野の中の２個の細胞集団ＧＦＰ（＋），ＧＦＰ（−）に対応している。
【００８６】
そして次に、３つの発現細胞領域ａを含む蛍光画像Ａ（図６）と、２つの細胞集団領域ｂを含む蛍光画像Ｂ（図７）とを重ね合わせて、２つの細胞集団領域ｂのうち発現細胞領域ａを１つ以上含むものを選択する（ステップＳ７）。
例えば図５〜図７の場合、一方の細胞集団ＧＦＰ（＋）に対応する細胞集団領域ｂが３つの発現細胞領域ａを含むため、この細胞集団領域ｂのみがステップＳ７で選択される。
【００８７】
なお、細胞集団領域ｂに含まれる発現細胞領域ａの数によって、測定視野の中の細胞集団ＧＦＰ（＋），ＧＦＰ（−）に含まれる各々の発現細胞の数を知ることができる。例えば図５〜図７の場合、細胞集団ＧＦＰ（＋）は３個の発現細胞を含み、細胞集団ＧＦＰ（−）は発現細胞を全く含まない。
次いで、画像処理装置１８は、細胞集団ＧＦＰ（＋）に対応する細胞集団領域ｂに注目してステップＳ８の処理を行う。つまり、多数の蛍光画像Ｂ（図７）の中から、細胞集団ＧＦＰ（＋）に対応する細胞集団領域ｂの輝度情報を選択的に検出し、蛍光画像Ｂごとに平均輝度を算出する。つまり、細胞集団ＧＦＰ（＋）から放射される蛍光強度を算出する。
【００８８】
そして最後に、各々の蛍光画像Ｂごとに算出した平均輝度、すなわち、細胞集団ＧＦＰ（＋）から放射される蛍光強度の時間変化（図８）を求め、これを解析することにより、細胞集団ＧＦＰ（＋）の膜電位変化に関わる測定情報を生成する（ステップＳ９）。
図８の横軸は、蛍光画像Ｂ（図７）の取り込み開始（以下「測定開始」という）後の経過時間　ｔｉｍｅ（ｍｉｎ）を表す。縦軸は、測定開始時に細胞集団ＧＦＰ（＋）から放射された蛍光強度Ｆ０と、任意の経過時間において細胞集団ＧＦＰ（＋）から放射された蛍光強度Ｆとの比　ｒａｔｉｏ（Ｆ／Ｆ０）を表す。
【００８９】
なお比較のため、図８には、発現細胞を全く含まない細胞集団ＧＦＰ（−）から放射される蛍光強度の時間変化（アーチファクト）も併せて示した。さらに、図８の上方に示した２本の横線は、標本の培養液中に薬物（ｃｈｌｏｒｚｏｘａｚｏｎｅ，ａｐａｍｉｎ）が含まれている時間を表している。各々の横線の左端は、薬物の導入タイミングｔ１，ｔ２に対応する。
【００９０】
細胞集団ＧＦＰ（＋）から放射される蛍光強度の時間変化（図８）から次のことが分かる。つまり、３００μＭ　ｃｈｌｏｒｚｏｘａｚｏｎｅ（ｒＳＫ２チャネル開口薬）の導入により、細胞集団ＧＦＰ（＋）では、細胞集団ＧＦＰ（−）と比較して、顕著な蛍光強度の減少（つまり過分極）が現れる。さらに、１００ｎＭ　ａｐａｍｉｎ（ｒＳＫ２チャネル阻害薬）の導入により、上記の蛍光強度の減少が抑制される。
【００９１】
細胞集団ＧＦＰ（＋）の膜電位変化に関わる測定情報は、例えば次のようにして生成される。つまり、細胞集団ＧＦＰ（＋）の蛍光強度の時間変化（図８）のうち、３００μＭ　ｃｈｌｏｒｚｏｘａｚｏｎｅを導入する前の蛍光強度を１００％として、３００μＭ　ｃｈｌｏｒｚｏｘａｚｏｎｅを導入してから一定時間後（２種類目の１００ｎＭ　ａｐａｍｉｎを導入するタイミング）における蛍光強度（％）を求め、その減少率Δ（％）を求めることで生成される。
【００９２】
図８の例では、ｒＳＫ２チャネルを発現させた標本に対する　３００μＭ　ｃｈｌｏｒｚｏｘａｚｏｎｅ　の導入によって、蛍光強度が約２０％減少するという測定結果が、膜電位変化に関わる測定情報として得られたことになる。
【００９３】
さらに、異なる５つのシャーレ２１の中で調整された各々の標本を用いて、同様の測定を行った結果（図９）について説明する。図９の縦軸は、３００μＭ　ｃｈｌｏｒｚｏｘａｚｏｎｅ　を導入する前の蛍光強度を１００％として、３００μＭ　ｃｈｌｏｒｚｏｘａｚｏｎｅ　の導入による蛍光強度の減少率　ｒｅｓｐｏｎｓｅ　ｒａｔｅ　（％）を表す。２個の細胞集団ＧＦＰ（＋），ＧＦＰ（−）の各々の測定結果を比較することで、Ｓｔｕｄｅｎｔ　の　ｔ−検定により、＊＊ｐ＜０．０１　の有意差が認められた。
【００９４】
この具体例からも明かなように、発現細胞を全く含まない細胞集団ＧＦＰ（−）が測定視野の中に存在しても、細胞集団ＧＦＰ（−）からの擬似的な蛍光強度は検出せず、発現細胞を１つ以上含む細胞集団ＧＦＰ（＋）からの本質的な蛍光強度のみを選択的に検出するため、薬物による膜電位変化の測定情報（例えば蛍光強度の減少率Δ）を高感度で再現性良く求めることができる。
【００９５】
さらに、標本における発現細胞の割合（発現効率）が低くても、また、標的蛋白質（例えばｒＳＫ２チャネル）などの発現が一過性であっても、薬物による膜電位変化を高感度で再現性良く測定できるため、標本の調整作業を確実に簡略化できる。
なお、上記した第１実施形態では、図４のステップＳ５〜Ｓ７の処理によって発現細胞を含む注目集団（図３の細胞集団２３（１））を特定したが、本発明はこれに限定されない。
【００９６】
例えば、ステップＳ６で１枚の蛍光画像Ｂから高輝度領域（細胞集団領域ｂ）を全て抽出する代わりに、ステップＳ５で抽出した発現細胞領域ａを１つ以上含むような細胞集団領域ｂのみを、直接、蛍光画像Ｂから抽出してもよい。この場合、ステップＳ７の処理は省略される。
また、上記した第１実施形態では、図４のステップＳ１〜Ｓ４の処理によって蛍光画像Ａ，Ｂを全て取り込み終えた後に、薬物による膜電位変化の測定情報を生成する処理（ステップＳ５〜Ｓ９）を行ったが、本発明はこれに限定されない。
【００９７】
例えば、ステップＳ２で蛍光画像Ａを取り込んだ直後に、蛍光画像Ａからの発現細胞領域ａの抽出（ステップＳ５の処理）を行ってもよい。この場合、測定視野１０ａの中に発現細胞２２ａが存在することを確認後、ステップＳ３，Ｓ４，Ｓ６，…の処理を実行できるので、膜電位変化の測定を効率良く行うことができる。ただし、発現細胞２２ａの存在確認は、表示装置１９で行っても良い。
【００９８】
（第２実施形態）
本発明の第２実施形態は、請求項１〜請求項５，請求項１２，請求項１５，請求項１６，請求項１９に対応する。ここでも、薬物による膜電位変化を高感度で再現性良く測定可能な細胞内反応測定装置の例を説明する。
第２実施形態の細胞内反応測定装置は、上記の細胞内反応測定装置１０における膜電位変化の測定手順（図４）のステップＳ７とＳ８の間に、画像処理装置１８が後述の処理＜Ｓ１１＞〜＜Ｓ１３＞を行うものである。なお、第２実施形態において、画像処理装置１８は、請求項の「算出手段」，「選別手段」にも対応する。
【００９９】
ちなみに、上記の細胞内反応測定装置１０では、蛍光画像Ｂの中で、発現細胞領域ａを１つ以上含む細胞集団領域ｂを選択すると（Ｓ７）、ここで選択した細胞集団領域ｂに注目してステップＳ８以降の処理を行った。
第２実施形態の細胞内反応測定装置では、ステップＳ７の処理により、発現細胞領域ａを１つ以上含む細胞集団領域ｂを選択すると、ステップＳ８の処理に進む前に、次の処理＜Ｓ１１＞〜＜Ｓ１３＞を実行する。
【０１００】
＜Ｓ１１＞　　まず、ステップＳ７で選択された細胞集団領域ｂ（１つ以上の発現細胞領域ａを含む）ごとに、発現細胞領域ａの割合を算出する。これは、測定視野１０ａ内の注目集団（１つ以上の発現細胞２２ａを含む）ごとに、発現細胞２２ａの割合を算出する処理に対応している。
＜Ｓ１２＞　　次に、ステップＳ７で選択された細胞集団領域ｂ（１つ以上の発現細胞領域ａを含む）ごとに、全て細胞領域の数を算出する。これは、測定視野１０ａ内の注目集団（１つ以上の発現細胞２２ａを含む）ごとに、全細胞の数を算出する処理に対応している。
【０１０１】
＜Ｓ１３＞　　最後に、測定視野１０ａ内の注目集団（１つ以上の発現細胞２２ａを含む）のうち、発現細胞２２ａの割合が２０％よりも高く、かつ、全細胞の数が２０個よりも少ない注目集団を選別する。
その後、図４のステップＳ８以降の処理を実行し、上記の処理＜Ｓ１１＞〜＜Ｓ１３＞によって選別された注目集団（細胞数が比較的少なく発現細胞の割合が高い細胞集団）から放射される蛍光の強度を選択的に検出することで、薬物による膜電位変化の測定情報（例えば蛍光強度の減少率Δ）を求める。したがって、測定感度と再現性がさらに向上する。
【０１０２】
ここで、様々な細胞集団ＧＦＰ（＋）の各々において、発現細胞の割合（％）（横軸）と、３００μＭ　ｃｈｌｏｒｚｏｘａｚｏｎｅ　の導入による蛍光強度の減少率　ｒｅｓｐｏｎｓｅ　ｒａｔｅ　（％）（縦軸）との関係を調べた結果を図１０に示す。対象とした細胞集団ＧＦＰ（＋）の数は、４１個である。
図１０の各測定点は、細胞集団ＧＦＰ（＋）の全細胞の数ｎごとに異なるマーク（●：ｎ＝１〜５，★：ｎ＝６〜１０，■：ｎ＝１１〜２０，▲：ｎ＝２１〜３０，×：ｎ＞３１）により区別してある。これらの測定点から、全細胞の数ｎが多い細胞集団（×，▲）では、薬物に対する蛍光強度の減少率（％）が小さいということが分かる。このため、第２実施形態では、上記のように、全細胞の数ｎが２０個より少ない細胞集団（●，★，■）に注目した。
【０１０３】
さらに、図１０の“測定点○”は、全て（４１個）の細胞集団ＧＦＰ（＋）における平均値と標準誤差を表している。発現細胞の割合の平均値は　２６．８％　、薬物の導入による蛍光強度の減少率の平均値は　１５．２％　であった。
図１０の“測定点□”は、発現細胞の割合が２０％以上の２４個の細胞集団ＧＦＰ（＋）における平均値と標準誤差を表している。発現細胞の割合の平均値は　３７．８２％　、薬物の導入による蛍光強度の減少率の平均値は　１９．８％　であった。
【０１０４】
また、図１０の“測定点▽”は、上記の測定点○，□との比較のために示したものであり、発現細胞を全く含まない細胞集団ＧＦＰ（−）に関する。つまり、異なるシャーレ２１から得た８個の細胞集団ＧＦＰ（−）における平均値と標準誤差を表している。細胞集団ＧＦＰ（−）の場合、薬物の導入による蛍光強度の減少率（アーチファクト）の平均値は　５．２％　であった。
【０１０５】
これらの測定点○，□，▽から次のことが分かる。つまり、発現細胞の割合が２０％以上の細胞集団ＧＦＰ（＋）を選別し、薬物の導入による蛍光強度の減少率を求めることで、アーチファクト（細胞集団ＧＦＰ（−）における蛍光強度の減少率）の４倍の反応を検出できる。なお、測定点○は、アーチファクトに対して０．１％の危険率で有意差を持っている。
【０１０６】
なお、上記した第２実施形態では、処理＜Ｓ１３＞において、発現細胞の割合と全細胞の数との双方を各々の基準値と比較することにより、注目集団（細胞集団ＧＦＰ（＋））を選別したが、本発明はこれに限定されない。発現細胞の割合のみを基準割合と比較して注目集団を選別しても良いし、全細胞の数のみを基準数と比較して注目集団を選別しても良い。
【０１０７】
さらに、上記した第１，第２実施形態では、発現細胞を全く含まない細胞集団ＧＦＰ（−）の蛍光強度の減少率（例えば図８，図９，図１０の測定点▽）に基づいて、薬物導入時のアーチファクトを測定できるため、このアーチファクトとの比較によって、発現細胞を含む細胞集団ＧＦＰ（＋）の薬物導入による蛍光強度の減少率を極めて正確に測定することができる。
【０１０８】
ここでアーチファクトとは、標的のｒＳＫ２蛋白質に直接作用することなく、ＤｉＢＡＣ４（３）の蛍光強度を変化させる反応のすべてを含んでいる。したがって、薬物が標的のｒＳＫ２蛋白質に直接作用することなく、他の作用によって（例えば細胞エネルギー生産を阻害するなどして）、間接的に膜電位を変化させる副作用的な反応を含んでいる。そのため、ＧＦＰ（−）集団での薬物による蛍光強度の変化（アーチファクト）も細胞内反応を検出する場合に、重要な情報を提供する。
【０１０９】
（第３実施形態）
本発明の第３実施形態は、請求項６〜請求項８，請求項１２，請求項１５，請求項１７，請求項１９に対応する。ここでも、薬物による膜電位変化を高感度で再現性良く測定可能な細胞内反応測定装置の例を説明する。
第３実施形態の細胞内反応測定装置は、上記した第１，第２実施形態と異なり、複数の培養細胞どうしが密着し、ほぼシート状になった標本を用いて、薬物による膜電位変化を測定するものである。このため、上記の細胞内反応測定装置１０における膜電位変化の測定手順（図４）のステップＳ６，Ｓ７に代えて、後述の処理＜Ｓ２１＞〜＜Ｓ２３＞を行うように構成されている。また、これに付随して、処理＜Ｓ２１＞〜＜Ｓ２３＞の後に実行する図４のステップＳ８にも多少の変更がある（後述する）。
【０１１０】
ここで、処理＜Ｓ２１＞〜＜Ｓ２３＞について具体的に説明する前に、標本の調整について説明しておく。標本の調整は、上述の手順＜１＞〜＜３＞のうち、手順＜２＞を次の手順＜４＞に置き換えたものである。
＜４＞　　発現ベクターの導入によって、標的蛋白質（例えばｒＳＫ２チャネル）の遺伝子および蛍光性蛋白質（例えばＧＦＰ）の遺伝子が導入された培養細胞（例えばＨＥＫ２９３細胞）をシャーレ２１の中で培養する際、培養条件や培養時間を変更することにより、細胞集団どうしが密着するように培養する。
【０１１１】
その結果、シャーレ２１の中の標本には、複数の培養細胞（例えばＨＥＫ２９３細胞）どうしが密着した状態（いわゆるコンフルエント状態）で含まれることになる。幾つかの培養細胞には、標的蛋白質と蛍光性蛋白質とが同時に発現している。この発現効率は、例えば２０％〜３０％程度である。
また、手順＜１＞→＜４＞→＜３＞を経て調整された後の標本を用いて行われる膜電位変化の測定は、図４のステップＳ１〜Ｓ５の後に、後述の処理＜Ｓ２１＞〜＜Ｓ２３＞を実行し、最後にステップＳ８，Ｓ９と同様の処理を実行する、という手順で行われる。
【０１１２】
以下の説明に当たり、適宜、標本の位相差顕微鏡写真（図１１）を参照する。この写真から分かるように、測定視野内において複数の培養細胞はコンフルエント状態となっている。写真の一辺の長さは約１８０μｍである。
蛍光画像Ａ（図１２）は、測定視野の中に存在するＧＦＰからの蛍光に基づく画像であり、発現細胞（ｒＳＫ２チャネルとＧＦＰとを同時に発現したＨＥＫ２９３細胞）の画像である。蛍光画像Ａ（図１２）を取り込む際、励起光の中心波長は４８０ｎｍとした。フィルタセットのうち蛍光フィルタ１５としては、５１０ｎｍ〜５４０ｎｍの波長域を透過可能なものを用いた。
【０１１３】
さらに、図４のステップＳ３，Ｓ４によって同一視野の蛍光画像Ｂ（図１３）を繰り返し取り込む際、励起光の中心波長は５６０ｎｍとした。フィルタセットのうちダイクロイックフィルタ１３には、５９０ｎｍよりも短波長域を反射可能で長波長域を透過可能なものを用いた。蛍光画像Ｂ（図１３）は、測定視野の中に存在する膜電位感受性蛍光色素（ＤｉＢＡＣ４（３））からの蛍光に基づく画像であり、コンフルエント状態となっている複数の培養細胞の画像である。
【０１１４】
図１１〜図１３の写真から、標本の発現細胞は、測定視野の中で左上に片寄っていることがわかる。さて、図４のステップＳ５によって、蛍光画像Ａ（図１２）から発現細胞に対応する高輝度領域（発現細胞領域ａ）を、発現細胞ごとに全て抽出する。そして次の処理＜Ｓ２１＞に進む。図１２の場合、蛍光画像Ａの中には、６つの発現細胞領域ａが存在している。
【０１１５】
＜Ｓ２１＞　　まず、多数の蛍光画像Ｂ（図１３）のうち任意の１枚（薬物導入前のもの）を選択する。そして、選択した蛍光画像Ｂの輝度情報を検出することにより、測定視野内の全ての培養細胞に対応する高輝度領域（以下「培養細胞領域」という）を抽出する。
【０１１６】
＜Ｓ２２＞　　次に、ステップＳ５，Ｓ６での抽出結果を用い、発現細胞領域ａを含む蛍光画像Ａと、培養細胞領域を含む蛍光画像Ｂとを重ね合わせる。そして、培養細胞領域の中に、１つ以上の発現細胞領域ａを含むような任意の領域を幾つか設定する（例えば図１４の２つの楕円領域を参照）。これらの領域は、薬物導入による蛍光強度の減少率を求めるための候補領域である。
【０１１７】
なお、図１４は、測定開始時に取り込んだ蛍光画像Ｂの各画素の輝度値（∝蛍光強度）により、薬物を導入する直前に取り込んだ蛍光画像Ｂの各画素の輝度値を割り、結果を疑似カラー表示したものである。輝度値の割り算は、同一視野の同一画素どうしで行った。
＜Ｓ２３＞　　次に、上記＜Ｓ２２＞で設定された複数の候補領域（例えば図１４の２つの楕円領域）（１つ以上の発現細胞領域ａを含む）ごとに、発現細胞領域ａの割合を算出する。そして最後に、複数の候補領域のうち、発現細胞領域ａの割合が２０％よりも高いものを選別する。
【０１１８】
例えば図１４の場合、小さい方（赤色）の楕円領域が選別される。この領域には、全部で約２０個の培養細胞が含まれている。また、同じ領域の中で、発現細胞領域ａ（図１２参照）の数は、約６個である。このため、発現細胞領域ａの割合は、約３０％となる。
その後、図４のステップＳ８，Ｓ９と同様の処理を実行し、上記＜Ｓ２３＞で選別された注目領域（発現細胞の割合が高い領域）（以下「高発現領域」という）の輝度情報に基づいて蛍光強度を選択的に検出すると共に、その蛍光強度の時間変化（図１５）を求め、これを解析することにより、薬物による膜電位変化の測定情報（例えば蛍光強度の減少率）を求める。
【０１１９】
図１５の横軸は、測定開始後の経過時間　ｔｉｍｅ（ｍｉｎ）を表す。縦軸は、測定開始時に高発現領域から放射された蛍光強度Ｆ０と、任意の経過時間において高発現領域から放射された蛍光強度Ｆとの比　ｒａｔｉｏ（Ｆ／Ｆ０）を表す。
【０１２０】
さらに、図１５の上方に示した２本の横線は、標本の培養液中に薬物（ｃｈｌｏｒｚｏｘａｚｏｎｅ，ａｐａｍｉｎ）が含まれている時間を表している。各々の横線の左端は、薬物の導入タイミングｔ１，ｔ２に対応する。第３実施形態において、タイミングｔ２は測定開始から８分後とした。
なお比較のため、図１５には、上記＜Ｓ２３＞で選別されなかった領域（例えば図１４の大きい方（黒色）の楕円領域）（以下「低発現領域」という）から放射される蛍光強度の時間変化も併せて示した。低発現領域は、測定視野のほぼ全体に対応する広い領域であり、発現細胞領域ａ（図１２参照）の割合が１０％未満となっている。
【０１２１】
この低発現領域による蛍光強度の時間変化は、従来のように、測定視野内での平均的な光強度を測定する場合と同等の測定である。図１５から分かるように、低発現領域における蛍光強度の時間変化には、薬物導入による強度低下や強度上昇がほとんど見られない。すなわち、従来方法にしたがって蛍光強度の時間変化を調べても、薬物による膜電位変化の測定情報を正確に求めることは非常に困難である。
【０１２２】
これに対し、高発現領域における蛍光強度の時間変化には、３００μＭ　ｃｈｌｏｒｚｏｘａｚｏｎｅ　の導入によって蛍光強度が低下し、１００ｎＭ　ａｐａｍｉｎ　の導入によって蛍光強度が上昇する様子が明確に現れる。このような高発現領域における変化は、薬物によって膜電位変化が生じ、その結果、膜電位感受性蛍光色素（ＤｉＢＡＣ４（３））の蛍光強度が変化したことを示している。
【０１２３】
したがって、上記＜Ｓ２３＞で高発現領域（例えば発現効率３０％）を選別し、この高発現領域からの本質的な蛍光強度のみを選択的に検出することで、薬物による膜電位変化の測定情報（例えば蛍光強度の減少率Δ）を高感度で再現性良く求めることができる。
なお、上記した第３実施形態では、測定視野の中に設定した高発現領域からの蛍光強度を検出したが、本発明はこれに限定されない。例えば、測定視野の全体における発現細胞の割合を算出し、これが基準割合より大きい場合には、上記のような高発現領域を設定せずに、測定視野の全体から放射される蛍光強度を検出してもよい。
【０１２４】
また、上記した第３実施形態では、複数の培養細胞が密着している標本を用いて膜電位変化を測定したが、標本の中に複数の細胞集団が非接触状態で含まれる場合（図２参照）でも、個々の細胞集団が比較的大きく、測定視野の中で培養細胞どうしが密着している場合には、第３実施形態の測定手順を適用できる。
さらに、上記した第１〜第３実施形態では、発現細胞を１つ以上含む細胞集団からの蛍光強度、または、上記の高発現領域からの蛍光強度を選択的に検出したが、本発明はこれに限定されない。例えば、測定視野内に存在する発現細胞そのものから放射される蛍光強度を選択的に検出しても、同様に正しい結果を得ることができる。
【０１２５】
ただし、蛍光強度の検出対象となる細胞数が少なくなる分だけ、合計の蛍光強度が減少し、また各々の細胞の状態に由来するばらつきの多い結果となってしまう。したがって、上記した第１〜第３実施形態のように、細胞集団や高発現領域からの蛍光強度を選択的に検出する方が、検出対象となる細胞数を多く確保でき、精度の高い測定を行うことができる。
【０１２６】
（第４実施形態）
本発明の第４実施形態は、請求項９〜請求項１２，請求項１５，請求項１８，請求項１９に対応する。ここでは、薬物によるイオン濃度変化を高感度で再現性良く測定可能な細胞内反応測定装置の例を説明する。ちなみに、イオン濃度変化の「イオン」とは、細胞内に存在するイオン（例えばカルシウムイオン，水素イオン，マグネシウムイオン，ナトリウムイオン，カリウムイオン，塩素イオンなど）のことである。
【０１２７】
測定対象となる標本の調整は、上述の手順＜１＞〜＜３＞のうち、手順＜３＞を次の手順＜５＞に置き換えたものである。手順＜２＞での培養後、シャーレ２１の中の複数の培養細胞（例えばＨＥＫ２９３細胞）が、互いに非接触状態の細胞集団を形成していても、コンフルエント状態になっていても、どちらでも構わない。
＜５＞　　調整作業の最後に、シャーレ２１の中の標本（複数の培養細胞を含む）に対して、全体的に、細胞内反応測定用の蛍光プローブを導入する。ここで用いられる蛍光プローブは、イオン濃度感受性の蛍光色素である。この蛍光色素には、イオン濃度の絶対値を測定するためのものや、イオン濃度の相対変化を測定するためのものがある。
【０１２８】
例えば、カルシウムイオン濃度（Ｃａ２＋）変化を測定する場合には、蛍光プローブとして、Ｆｕｒａ−２／ＡＭ（Ｍｏｌｅｃｕｌａｒ　Ｐｒｏｂｅｓ，ＵＳＡ）が用いられる。標本へのＦｕｒａ−２の導入は、このＦｕｒａ−２を１００ｎＭの濃度で含む生理塩類溶液に、インキュベータ中で約３０分間、培養細胞（ＨＥＫ２９３細胞）を浸すことにより行われる。インキュベータから取り出した培養細胞は、生理塩類溶液で洗浄される。イオン濃度変化の測定中、シャーレ２１は生理塩類溶液で満たしてある。
【０１２９】
このように調整された標本を用いてイオン濃度変化を測定するため、第４実施形態の細胞内反応測定装置では、ＧＦＰから放射される蛍光の検出に最適なフィルタセットと、Ｆｕｒａ−２から放射される蛍光の検出に最適なフィルタセットとが切り替え可能となっている。ＧＦＰ用のフィルタセットは、既に説明したものと同じである。
【０１３０】
Ｆｕｒａ−２用のフィルタセットは、３４０ｎｍ付近の波長域を透過する第１の励起フィルタ１２と、３８０ｎｍ付近の波長域を透過する第２の励起フィルタ１２と、４００ｎｍよりも短波長域を反射して長波長域を透過するダイクロイックミラー１３と、５１０ｎｍ付近の波長域を透過する蛍光フィルタ１５との組み合わせである。第１，第２の励起フィルタ１２は、何れか一方が挿入される。
【０１３１】
そして、第４実施形態の細胞内反応測定装置では、まず初めに、上記した図４のステップＳ１，Ｓ２と同様に、測定視野の中に存在するＧＦＰからの蛍光に基づいて、発現細胞（ｒＳＫ２チャネルとＧＦＰとを同時に発現したＨＥＫ２９３細胞）の蛍光画像Ａを取り込む。
次に、フィルタセットをＧＦＰ用からＦｕｒａ−２用に変更すると共に、励起フィルタ１２を“３４０ｎｍ”に設定し、測定視野内のＦｕｒａ−２から放射される蛍光に基づいて蛍光画像Ｃ（１）を取り込む。さらに、励起フィルタ１２を“３８０ｎｍ”に変更して、同様の蛍光画像Ｃ（２）を取り込む。そして、これら２枚の蛍光画像Ｃ（１），Ｃ（２）を１組として、蛍光画像Ｃ（１），Ｃ（２）の取り込みを１０ｓｅｃおきに繰り返す。
【０１３２】
また、蛍光画像Ｃ（１），Ｃ（２）を繰り返し取り込みながら、途中の予め決められたタイミングで、標本に２種類の薬物（ｃｈｌｏｒｚｏｘａｚｏｎｅ，ａｐａｍｉｎ）を導入する。さらに、１組の蛍光画像Ｃ（１），Ｃ（２）を用い、蛍光画像Ｃ（１）の各画素の輝度値を蛍光画像Ｃ（２）各画素の輝度値で割ることによって、カルシウムイオン濃度の分布画像Ｄを生成する。
【０１３３】
その後、蛍光画像Ａ，蛍光画像Ｃ（１），Ｃ（２）の取り込みと、カルシウムイオン濃度の分布画像Ｄの生成が終了すると、図４のステップＳ５と同様の処理を行い、蛍光画像Ａから、発現細胞に対応する高輝度領域（発現細胞領域ａ）を全て抽出する。
そして次に、発現細胞領域ａを含む蛍光画像Ａと、蛍光画像Ｃ（１），Ｃ（２）から生成したカルシウムイオン濃度の分布画像Ｄとを重ね合わせて、分布画像Ｄの輝度情報の中から発現細胞領域ａに対応する部分情報を選択的に検出し、その平均輝度（つまり蛍光強度）を分布画像Ｄごとに算出する。
【０１３４】
最後に、各々の分布画像Ｄごとに算出した蛍光強度の時間変化を解析することにより、発現細胞のイオン濃度変化に関わる測定情報を生成する。薬物導入の前後で蛍光強度が増加した場合には、発現細胞の中のカルシウムイオン濃度が増加したため、薬物の効果があるとみなされる。
【０１３５】
このように、第４実施形態の細胞内反応測定装置では、測定視野の中の発現細胞から放射される蛍光の強度を選択的に検出し、薬物によるイオン濃度変化の測定情報を生成する（例えば蛍光強度の増加率を求める）ため、高感度で再現性良くイオン濃度変化を測定できる。
（第５実施形態）
本発明の第５実施形態は、請求項１３，請求項１４に対応する。ここでは、第１実施形態の細胞内反応測定装置１０（図１）を医薬品の開発過程におけるスクリーニングに適用した例を説明する。この場合、標本の培養容器として９６穴のマイクロプレートが用いられ、蛍光顕微鏡（１１〜１６）のステージ上に載置される。マイクロプレートの底面も透明である。
【０１３６】
標本の調整に当たり、マイクロプレートの各ウエルには、培養細胞（例えばＨＥＫ２９３細胞）を１０５個／ｍｌの濃度で含む溶液が適量（例えば１５０μｌずつ）注入される。ただし、１つのウエルには、培養液のみ入れた。つまり、このウエルには、培養細胞が入っていない。
そして、各ウエルの溶液に対して、リン酸カルシウム共沈法により、ｒＳＫ２チャネルの遺伝子およびＧＦＰの遺伝子が導入され、３７度で３６〜４８時間、培養される。また調整の最後に、各ウエルの中の標本には全体的に膜電位感受性蛍光色素（ＤｉＢＡＣ４（３））が導入される。
【０１３７】
マイクロプレートを使用した場合の測定手順は、基本的には上述した図４と同じである。
培養細胞の入っていないウエルにおいても、ＧＦＰ用のフィルタセットを使用して蛍光画像Ａ０を取得し、次に、ＤｉＢＡＣ４（３）用のフィルタセットを使用して蛍光画像Ｂ０を取得する。これらの蛍光画像Ａ０，Ｂ０は、背景光画像として補正用に使用される。つまり、以降の各ウエルにおける蛍光画像の輝度情報から背景光を減算して除去するために使用される。ここで背景光とは、培養液やマイクロプレートなど標本以外の物からの蛍光のことである。
【０１３８】
同様に、その他の各ウエル（培養細胞が入っているもの）においては、ＧＦＰ用のフィルタセットを使用して蛍光画像Ａを取得し、次に、ＤｉＢＡＣ４（３）用のフィルタセットを使用して蛍光画像Ｂを一定時間（例えば１０ｓｅｃ）おきに取得する。また、蛍光画像Ｂの取り込み中、各ウエルごとに、種類や濃度が異なる薬物を５０μｌずつ加える。
【０１３９】
このようにして全ての蛍光画像Ａ，Ｂの取り込みが終了すると、これらの蛍光画像Ａ，Ｂの輝度情報は、背景光画像（蛍光画像Ａ０，Ｂ０）の輝度情報によって補正される。そして、補正後の蛍光画像Ａ，Ｂを用いて、薬物による膜電位変化の測定情報（蛍光強度の減少率）が各ウエルごとに生成される。
既に説明したように、発現細胞を含む注目集団からの本質的な蛍光強度を選択的に検出するため、各ウエルの様々な薬物による膜電位変化の測定情報（例えば蛍光強度の減少率Δ）を高感度で再現性良く求めることができる。したがって、各々の薬物の反応の違いを明確に解析することができ、効率の良いスクリーニングが可能となる。なお、蛍光強度の減少率が有意と認められたウエルに導入された薬物が、ｒＳＫ２チャネルに対して効果が高いと認められる。
【０１４０】
なお、マイクロプレートを使用して薬物の作用をスクリーニングする際、各ウエルごとに、薬物を導入しつつ蛍光画像Ｂを一定時間おきに取得すると、全部のウエルについてのイオン濃度変化の測定を終えるまでには、かなりの時間が必要となってしまう。
そこで、蛍光画像Ｂの取り込み回数を減らし、“少なくとも２回”行うようにすることが好ましい。例えば２回行う場合、１回目の取り込みは薬物が導入される前に行われ、２回目の取り込みは薬物が導入されてから一定時間後に行われる。なお、薬物の導入タイミングは、制御装置２０内で検知可能である。
【０１４１】
このように、マイクロプレートの各ウエルごとに、薬物導入の前後で一定時間をおいて蛍光画像Ｂを取り込む場合、１つのウエルに対する２回の画像取り込みの間に、他のウエルの画像取り込みを行うことができ、全体としての測定時間を短縮することができる。
【０１４２】
例えば、１１個のウエルを測定対象とする場合、まず、各ウエルにおける蛍光画像Ａ，Ｂを１枚ずつ順に取得し、次いで、各ウエルに薬物を順に導入する。１１個の全ウエルに薬物を導入するための所要時間は約３分程度であった。各ウエルに対する薬物導入の時間は記録しておく。そして、約５分後に、各ウエルの２回目の蛍光画像Ｂの取得を順に行う。
【０１４３】
その結果、各ウエルごとに２枚の蛍光画像Ｂを効率良く取り込むことができ、全体の測定時間を短縮できる。このため、高速・高効率の薬物作用検査システムを構築できる。
なお、上記した第５実施形態では、第１実施形態の細胞内反応測定装置１０をスクリーニングに適用したが、本発明はこれに限定されない。その他、第２〜第４実施形態の細胞内反応測定装置をスクリーニングに適用することもできる。
【０１４４】
（変形例）
なお、上記した第１〜第４実施形態では、細胞内反応に応じた蛍光画像Ｂ（または蛍光画像蛍光画像Ｃ（１），Ｃ（２））を一定時間ごとに取り込む例を説明したが、第５実施形態と同様、薬物を導入する前後に１回ずつ（所定のタイミングで）、蛍光画像Ｂ（または蛍光画像蛍光画像Ｃ（１），Ｃ（２））を取り込む場合にも、本発明を適用できる。
【０１４５】
また、上記した全ての実施形態では、ピペット１７を制御装置２０によって制御したが、本発明はこれに限定されない。例えば、手動操作用のピペットを用いた場合にも本発明は適用できる。この場合、ピペットによる薬物の導入タイミングを検知するためのスイッチを設けることが好ましい。
さらに、上記した全ての実施形態では、標本から放射される蛍光の強度に基づいて細胞内反応（膜電位変化やイオン濃度変化）を測定したが、本発明はこれに限定されない。その他、標本から放射される化学発光や生物発光の強度に基づいて細胞内反応を測定する場合にも、本発明は適用できる。この場合には自己発光であるため、標本に対する励起光の照射は不要になる。
【０１４６】
また、上記した全ての実施形態では、薬物による細胞内反応（膜電位変化，イオン濃度変化）の測定例を説明したが、薬物以外の要因（例えば温度などの環境変化）による細胞内反応を測定することもできる。
さらに、上記した全ての実施形態では、標的蛋白質の存在を確認するために蛍光性蛋白質であるＧＦＰを使用したが、蛋白質の存在は、その蛋白質に対する抗体を蛍光色素で標識したものを使用しても確認することができる。
【０１４７】
【発明の効果】
以上説明したように、本発明によれば、標本の煩雑な調整作業を行わなくても、細胞内反応の測定感度と再現性を向上させることができる。
【図面の簡単な説明】
【図１】細胞内反応測定装置１０の全体構成を示す概略図である。
【図２】標本に含まれる複数の細胞集団２３を説明する模式図である。
【図３】測定視野１０ａの中に含まれる２個の細胞集団２３（１），（２）を説明する模式図である。
【図４】細胞内反応測定装置１０における膜電位変化の測定手順を示すフローチャートである。
【図５】標本の位相差顕微鏡写真である。
【図６】ＧＦＰから放射される蛍光に基づいて取り込んだ蛍光画像の写真である。
【図７】ＤｉＢＡＣ４（３）から放射される蛍光に基づいて取り込んだ蛍光画像の写真である。
【図８】細胞集団ＧＦＰ（＋），ＧＦＰ（−）から放射される蛍光強度の時間変化を示す図である。
【図９】異なる５つのシャーレで調整された標本による測定結果である。
【図１０】細胞集団ＧＦＰ（＋）の発現細胞の割合（％）と薬物導入による蛍光強度の減少率　ｒｅｓｐｏｎｓｅ　ｒａｔｅ　（％）との関係を示す図である。
【図１１】標本の位相差顕微鏡写真である。
【図１２】ＧＦＰから放射される蛍光に基づいて取り込んだ蛍光画像の写真である。
【図１３】ＤｉＢＡＣ４（３）から放射される蛍光に基づいて取り込んだ蛍光画像の写真である。
【図１４】ＤｉＢＡＣ４（３）から放射される蛍光に基づいて取り込んだ蛍光画像を、測定開始時の蛍光画像に対する比で表し、疑似カラー表示した画像の写真である。
【図１５】高発現領域，低発現領域から放射される蛍光強度の時間変化を示す図である。
【符号の説明】
１０　細胞内反応測定装置
１１　光源
１２　励起フィルタ
１３　ダイクロイックミラー
１４　対物レンズ
１５　蛍光フィルタ
１６　冷却ＣＣＤカメラ
１７　ピペット
１８　画像処理装置
１９　表示装置
２０　制御装置
２１　シャーレ
２２　培養細胞
２２ａ　発現細胞
２３　細胞集団
【図１】
2004121020.tif 000003
【図２】
2004121020.tif 000004
【図３】
2004121020.tif 000005
【図４】
2004121020.tif 000006
【図５】
2004121020.tif 000007
【図６】
2004121020.tif 000008
【図７】
2004121020.tif 000009
【図８】
2004121020.tif 000010
【図９】
2004121020.tif 000011
【図１０】
2004121020.tif 000012
【図１１】
2004121020.tif 000013
【図１２】
2004121020.tif 000014
【図１３】
2004121020.tif 000015
【図１４】
2004121020.tif 000016
【図１５】
2004121020.tif 000017